(57)【要約】      （修正有）【課題】出射面が曲面であっても光を均一に出射することのできる面状照明装置を提供する。【解決手段】本発明の面状照明装置は、光を出射する光源（ＬＥＤ３１、ライトバー３２）と、光源からの光を入射して所定方向へ出射する導光板５とを備える。導光板は、光源からの光が入射される端面５０と、端面に入射された光を出射する出射面５ａであって、端面と交わる第１の主面５１と、出射面の裏面５６であって、端面と交わる第２の主面５２とを有する。第１の主面は、所定の曲率半径からなる凸状の曲面であり、第２の主面は、端面を有する基端部の方から先端部に向かうにしたがって第１の主面に漸次近づく方向に延伸する。【選択図】図２
2019220287.tif 000002
【特許請求の範囲】
【請求項１】
光を出射する光源と、
前記光源からの光を入射して所定方向へ出射する導光板と、
を備え、
前記導光板は、
前記光源からの光が入射される端面と、当該端面に入射された光を出射する出射面であって前記端面と交わる第１の主面と、前記出射面の裏面であって前記端面と交わる第２の主面とを有し、
前記第１の主面は、所定の曲率半径からなる凸状の曲面であり、
前記第２の主面は、前記端面を有する基端部の方から先端部に向かうにしたがって前記第１の主面に漸次近づく方向に延伸する、面状照明装置。
【請求項２】
前記出射面は、前記第１の主面が前記端面と交わる位置よりも出射方向へ膨らむ曲面である、請求項１に記載の面状照明装置。
【請求項３】
前記基端部は、
前記第１の主面側および前記第２の主面側がいずれも平面であるフラット部を有し、当該フラット部の始端側に前記端面が形成され、前記フラット部の終端側から前記出射面および前記裏面が延在する、請求項１または２に記載の面状照明装置。
【請求項４】
前記導光板の前記基端部を挟持するとともに、前記光源を収容する溝部を有するハウジングフレームを備える、請求項１から３のいずれか一つに記載の面状照明装置。
【請求項５】
前記導光板の前記先端部における前記第１の主面側と前記第２の主面側とのうち、少なくとも一方が平面である、請求項１から４のいずれか一つに記載の面状照明装置。
【請求項６】
前記出射面は、
曲率半径Ｒ≧４００ｍｍの曲面である、請求項１から５のいずれか一つに記載の面状照明装置。
【発明の詳細な説明】
【技術分野】
【０００１】
本発明は面状照明装置に関する。
【背景技術】
【０００２】
従来、光源と、光源からの光を入射して所定方向へ出射する導光板とを備える面状照明装置がある。かかる面状照明装置の導光板は、光源からの光が入射される端面と、この端面に入射された光を出射する出射面となる主面とを有する板体により形成されている。
【０００３】
導光板の主面については、光を均一に出射させるために、一般的には平面状に形成されているが、主面を曲面とした導光板も知られている（たとえば、特許文献１を参照）。
【先行技術文献】
【特許文献】
【０００４】
【特許文献１】特開２００４―３１７９７６号公報
【発明の概要】
【発明が解決しようとする課題】
【０００５】
しかしながら、曲面で形成された出射面から均一に発光させるためには、光路設計や配置に関し、より精度の高い光学設計が必要となる。
【０００６】
本発明は、上記を課題の一例とするものであり、出射面が曲面であっても光を均一に出射することのできる面状照明装置を提供することを目的とする。
【課題を解決するための手段】
【０００７】
上述した課題を解決し、目的を達成するために、本発明の一態様に係る面状照明装置は、光を出射する光源と、前記光源からの光を入射して所定方向へ出射する導光板と、を備える。前記導光板は、前記光源からの光が入射される端面と、当該端面に入射された光を出射する出射面であって前記端面と交わる第１の主面と、前記出射面の裏面であって前記端面と交わる第２の主面とを有する。前記第１の主面は、所定の曲率半径からなる凸状の曲面であり、前記第２の主面は、前記端面を有する基端部の方から先端部に向かうにしたがって前記第１の主面に漸次近づく方向に延伸する。
【図面の簡単な説明】
【０００８】
【図１】図１は、実施形態に係る面状照明装置を模式的に示す正面図である。
【図２】図２は、図１のＩＩ−ＩＩ線における断面図に相当する説明図である。
【図３】図３は、変形例に係る面状照明装置を模式的に示す正面図である。
【図４】図４は、図３のＶＩ−ＶＩ線における断面図に相当する説明図である。
【図５】図５は、導光板の出射面の曲面状態を示す説明図である。
【図６Ａ】図６Ａは、曲率半径に応じた出射面の輝度分布を示す説明図である。
【図６Ｂ】図６Ｂは、出射面における輝度分布の見方を示す説明図である。
【図７】図７は、曲率半径に応じた出射面の輝度分布を示す線グラフである。
【図８Ａ】図８Ａは、第１の変形例に係る導光板の断面形状を示す模式的側面図である。
【図８Ｂ】図８Ｂは、第２の変形例に係る導光板の断面形状を示す模式的側面図である。
【発明を実施するための形態】
【０００９】
以下、本発明を実施するための形態(以下、「実施形態」という)を、添付図面に基づいて詳細に説明する。なお、実施形態の説明の全体を通して同じ構成要素には同じ符号を付している。
【００１０】
以下、実施形態に係る面状照明装置について図面を参照して説明する。なお、以下に説明する実施形態により面状照明装置の用途が限定されるものではない。また、図面は模式的なものであり、各要素の寸法の関係、各要素の比率などは、現実と異なる場合があることに留意する必要がある。さらに、図面の相互間においても、互いの寸法の関係や比率が異なる部分が含まれている場合がある。
【００１１】
まず、実施形態に係る面状照明装置の概要について、図１および図２を参照しながら説明する。図１は、実施形態に係る面状照明装置を模式的に示す正面図、図２は、図１のＩＩ−ＩＩ線における断面図に相当する説明図である。
【００１２】
図１に示すように、面状照明装置１は、ハウジングフレーム２と、光源３と、プリズムバー３３と、導光板５とを備える。本実施形態に係る面状照明装置１は、たとえば、自動車の尾灯の一つであるハイマウントストップランプ（補助制動灯）に用いられる。なお、本実施形態では、面状照明装置１をハイマウントストップランプに適用したが、たとえば運転席または助手席の手元を照らす車内照明灯に用いることもできる。その場合、二つの導光板５を並設し、運転席および助手席の各手元を同時に照射可能な構成とすることもできる。
【００１３】
ハウジングフレーム２は、合成樹脂や金属で枠状に形成されており、光源３、プリズムバー３３を収納するとともに、導光板５の基端部５３を保持している。すなわち、図２に示すように、ハウジングフレーム２は、導光板５の基端部５３を挟持する溝部２０を有し、この溝部２０が光源３を収納する収納部を兼ねている。なお、光源３やプリズムバー３３が配置された溝部２０は、図２に示すように、互いにＺ軸方向に対向する第１壁部２２ａおよび第２壁部２２ｂと、底部となる第３壁部２２ｃとにより形成されるが、図１においては、便宜上、第１壁部２２ａについては省略した。
【００１４】
光源３は、図１および図２に示すように、たとえば、ハイマウントストップランプを発光させるための光を発する光源であり、一対のＬＥＤ（Light  Emitting  Diode）３１と、ライトバー３２と、プリズムバー３３とを有し、線状光源として構成される。なお、光源３は、図示を省略したが、駆動回路や電源に接続する基板を備えており、かかる基板にＬＥＤ３１は実装されている。基板を介してＬＥＤ３１が駆動されることにより、光源３が発光する。
【００１５】
点状の光源であるＬＥＤ３１は、光を発する発光面３１ａを有し、かかる発光面３１ａがライトバー３２の両端に形成された入光面３２ａに対向するように、ライトバー３２の両端側に配置されている。このように、ＬＥＤ３１は、ライトバー３２の入光面３２ａに向けて発光面３１ａから光を出射する。
【００１６】
ライトバー３２は、たとえば、ポリカーボネート樹脂などの透明材料によって棒状に形成されており、長手側の両端面に形成された入光面３２ａと、入光面３２ａに対してＹ軸方向に略直交する面である出光面３２ｂと、かかる出光面３２ｂとは反対側の反出光面３２ｃとを有する。ライトバー３２は、点状の光源であるＬＥＤ３１から入射した光を線状の光に変換して、プリズムバー３３に向けて出射する。
【００１７】
入光面３２ａは、棒状に形成されたライトバー３２のＸ軸方向に面した端面であり、ＬＥＤ３１が発した光が入射される。出光面３２ｂは、Ｘ軸方向に延在し、入光面３２ａと略垂直で、入光面３２ａよりも長尺な面であり、入光面３２ａに入射された光を出射する。なお、出光面３２ｂおよび反出光面３２ｃには、複数のプリズム（不図示）が形成される。
【００１８】
プリズムバー３３は、ライトバー３２の出光面３２ｂと、導光板５の入光面となる端面５０との間に配置されており、光の配光を制御することができる。そして、プリズムバー３３は、ライトバー３２の出光面３２ｂに対向する入光面３３ａと、かかる入光面３３ａとは反対側の出光面３３ｂとを有する。
【００１９】
なお、プリズムバー３３は、入光面３３ａに複数のプリズム（図示せず）が形成され、出光面３３ｂには、レンチキュラーレンズ（不図示）が形成される。
【００２０】
本実施形態に係る面状照明装置１は、上述の線状光源である光源３が、プリズムバー３３の出光面３３ｂから導光板５の端面５０に対して線状の光を出射すると、導光板５から面状の光を発光させることができる。すなわち、光源３から導光板５内に入射した光は、内部で導光されて主面に形成された出射面５ａから出射される。こうして、面状照明装置１は、導光板５から面状の光を発光することができる。
【００２１】
導光板５は、たとえば、ポリカーボネート樹脂などの透明材料により構成されており、図１および図２に示すように、端面５０と、第１の主面５１と、第２の主面５２とを有し、基端部５３がハウジングフレーム２に保持される。光源３から出射される光は、導光板５の基端部５３に形成された端面５０から入射され、導光された後、第１の主面５１に形成された出射面５ａから出射される。
【００２２】
すなわち、導光板５は、光源３からの光が入射される端面５０と、この端面５０に入射された光を出射する出射面５ａであって、端面５０と交わる第１の主面５１と、出射面５ａの裏面５ｂであって、端面５０と交わる第２の主面５２とを有する。換言すれば、導光板５は、端面５０と、端面５０と第１の交線５０１を介して接する第１の主面５１と、出射面５ａと対向する裏面５ｂであって、第１の交線５０１に平行な第２の交線５０２を介して端面５０と接する第２の主面５２とを有する。
【００２３】
端面５０は、ハウジングフレーム２の溝部２０内において、光源３と対向する細長い矩形状の面である。また、第１の主面５１は、相対的に最も大きな面積を有する平面視で矩形状の面であり、側面視では、図２に示すように、点Ｐを中心とする所定の曲率半径Ｒからなる凸状の曲面である。第２の主面５２は、第１の主面５１と同じく平面視で矩形状に形成された、第１の主面５１に対向する面であり、端面５０を有する基端部５３の方から先端部５４に向かうにしたがって第１の主面５１に漸次近づく方向に延伸する。
【００２４】
すなわち、図２に示すように、導光板５の基端部５３には、ハウジングフレーム２の溝部２０に嵌装されて保持されるフラット部５５が形成されている。かかるフラット部５５は、第１の主面５１の側おおび第２の主面５２の側が、いずれも平面状に形成されている。そして、このフラット部５５の始端側に端面５０が形成され、フラット部５５の終端側から出射面５ａおよび裏面５ｂが延在している。
【００２５】
フラット部５５のＺ軸方向において対向する一対の面５５ａ，５５ｂのうち、出射面側に位置する第１の面５５ａからＹ軸方向に水平に延びる仮想平面Ｓを想定したとする。かかる仮想平面Ｓを仮想の底面とする導光板５の上半部分は、Ｚ軸正方向へ突出する凸状の曲面に形成されている。すなわち、出射面５ａは、第１の主面５１が端面５０と交わる第１の交線５０１よりも出射方向へ膨らむ曲面となっている。また、かかる出射面５ａを形成する曲面は、仮想平面Ｓには正接しない曲面となっている。
【００２６】
他方、導光板５の下半部分は、仮想平面Ｓと裏面５ｂとにより形成される楔形状を有し、基端部５３の側から先端部５４にかけて漸次肉厚が薄くなっている。つまり、裏面５ｂは、端面５０を有する基端部５３から第１の主面５１と第２の主面５２とが交わる先端部５４に向かうにしたがって、出射面５ａに近づく方向に延伸している。
【００２７】
このように、導光板５の出射面５ａは、フラット部５５のＹ軸正方向の終点部（フラット部５５と出射面５ａとの境界）と、第２の主面５２と仮想平面Ｓとの交点とを接続する線が、仮想平面Ｓから光の出射方向に凸状となる曲線で構成される曲面となっている。
【００２８】
他方、第１の主面５１に対向する第２の主面５２が有する裏面５ｂは、フラット部５５のＹ軸正方向の終点部（フラット部５５と裏面５ｂとの境界）と第２の主面５２と仮想平面Ｓとの交点とを接続する直線で構成される平面となっている。すなわち、裏面５ｂは、基端部５３から第１の主面５１と第２の主面５２とが交わる先端部５４に向かうにしたがって、出射面５ａに近づく方向に延伸している。
【００２９】
かかる構成とした導光板５により、光源３から端面５０へ入射し、仮想平面Ｓと平行に直進する光は、出射面５ａには当たることなく裏面５ｂに到達し、かかる裏面５ｂで反射した光が出射面５ａから出射されることになる。
【００３０】
かかる構成の導光板５において、光源３から端面５０に入射された光は、裏面５ｂにより進路が変更され、出射面５ａから出射される。なお、裏面５ｂには、光の進路を適宜変更することのできるプリズム部を設けることもできる。
【００３１】
かかる導光板５を用いた面状照明装置１は、出射面５ａが曲面であっても光を均一に出射することができるため、自動車のハイマウントストップランプに適用することで、ブレーキ操作がなされたことを後続車などにはっきりと報知することができる。また、出射面５ａを曲面にすることにより、たとえば車載用途に用いる場合であれば、車両のリアガラスなどの曲面形状に沿った形状の面状照明装置１を提供することができる。
【００３２】
上述してきた面状照明装置１は、図１および図２に示すように、導光板５の基端部５３がハウジングフレーム２で片持ち支持された構成としていた。しかし、導光板５は、図３および図４に示すように、基端部５３のみならず、先端部５４についてもハウジングフレーム２で保持可能な構成とすることができる。
【００３３】
図３は、変形例に係る面状照明装置を模式的に示す正面図、図４は、図３のＶＩ−ＶＩ線における断面図に相当する説明図である。なお、図３および図４において、上述してきた構成と同じ要素については同一符号を付して説明は省略する。
【００３４】
変形例におけるハウジングフレーム２は、図３および図４に示すように、開口部２１を有する額縁状に形成している。すなわち、ハウジングフレーム２を、導光板５の基端部５３を保持する第１の溝部２０１（図４）と、導光板５の先端部５４を保持する第２の溝部２０２（図４）とを有する構成としている。導光板５は、光を出射する出射面５ａが開口部２１に臨むように保持される。なお、図３においては、説明の便宜上、光源３やプリズムバー３３が配置された第１の溝部２０１（図４）におけるＺ軸正方向側の第１壁部２２ａについては省略した。
【００３５】
また、変形例における導光板５は、先端部５４も基端部５３と同様に、ハウジングフレーム２で保持し易いようにフラット面５４ａ，５４ｂを有する形状としている。変形例における導光板５の先端部５４は、基端部５３のフラット部５５に比べて肉厚が薄いため、図４に示すように、第２の溝部２０２にスペーサ２３を配置している。なお、スペーサ２３の配置に代えて、第２の溝部２０２を構成する一方の壁部を厚く形成することもできる。
【００３６】
ところで、上述してきたように、導光板５の出射面５ａは、曲面としたが、その曲面を規定する曲率半径Ｒは、４００以上とすることが好ましい。すなわち、出射面５ａは、曲率半径Ｒ≧４００ｍｍの曲面とすることが好ましい。
【００３７】
ここで、導光板５の出射面５ａの曲率について図５〜図７を参照しながら説明する。図５は、導光板５の出射面５ａの曲面状態を示す説明図である。図６Ａは、曲率半径に応じた出射面５ａの輝度分布を示す説明図、図６Ｂは、出射面５ａにおける輝度分布の見方を示す説明図である。また、図７は、曲率半径に応じた出射面５ａの輝度分布を示す線グラフである。
【００３８】
出射面５ａを、異なる曲率半径Ｒとした場合の導光板５の側面視による形状は、図５に示すように、曲率半径Ｒが大きいほど、Ｙ軸方向に延出した仮想平面ＳからＺ軸方向への出射面５ａの突出量は大きい。図５においては、フラットな面を実線で示し、曲率半径Ｒ＝１０００ｍｍの場合を点線で示し、曲率半径Ｒ＝５００ｍｍの場合を大ピッチの破線で示し、曲率半径Ｒ＝４００ｍｍの場合を一点鎖線で示し、曲率半径Ｒ＝２００ｍｍの場合を小ピッチの破線で示し、曲率半径Ｒ＝１００ｍｍの場合を二点鎖線で示している。
【００３９】
図６Ａに示すように、出射面５ａの輝度分布は、曲率半径Ｒ（曲率）の大きさに応じて変化することが実験的に分かっている。図６Ａでは、輝度分布を、ドットの密度によって模式的に示している。図示するように、出射面５ａがフラットな場合の輝度分布が最も良好であるが、曲率が大きくなるほど、出射面５ａの終端側が暗くなることが分かる。この傾向は、曲率が大きくなるほど顕著であり、ここでは、曲率半径Ｒ＝１００ｍｍの場合、出射面５ａの終端側が最も暗くなっている。なお、ここで終端側とは、図１、図２、図３および図４における先端部５４の側を指す。
【００４０】
出射面５ａの曲率半径Ｒに応じて変化する輝度分布は、図７からも明らかである。図示するように、曲率半径Ｒ≧４００ｍｍであれば、出射面５ａの輝度分布は、フラットな面と相対的に近似する傾向にある。なお、図７においても、フラットな面を実線で示し、曲率半径Ｒ＝１０００ｍｍの場合を点線で示し、曲率半径Ｒ＝５００ｍｍの場合を大ピッチの破線で示し、曲率半径Ｒ＝４００ｍｍの場合を一点鎖線で示し、曲率半径Ｒ＝２００ｍｍの場合を小ピッチの破線で示し、曲率半径Ｒ＝１００ｍｍの場合を二点鎖線で示した。
【００４１】
このように、出射面５ａを、曲率半径Ｒ≧４００ｍｍの曲面とすれば、平面の場合と輝度分布に大きな変化がないことが分かる。したがって、曲面からなる出射面５ａでありながら、光を均一に出射することのできる面状照明装置１とすることができる。
【００４２】
ところで、輝度分布の計測は、図６Ｂに示すように、面状照明装置１を、出射方向Ｈに対して裏面５ｂの側に５５度傾けた状態の出射面５ａの輝度を計測している。すなわち、実際の出射面５ａの幅が６０ｍｍであった場合、輝度分布を示す出射面５ａの幅は約５０ｍｍとなる。
【００４３】
次に、導光板５の変形例について、図面を参照しながら説明する。図８Ａおよび図８Ｂは、第１、第２の変形例に係る導光板の断面形状を示す模式的側面図である。なお、図８Ａおよび図８Ｂにおいて、上述してきた構成と同じ要素については同一符号を付して説明は省略する。
【００４４】
第１の変形例に係る導光板５は、図８Ａに示すように、基端部５３にはフラット部５５が存在せず、出射面５ａおよび裏面５ｂは、第１の主面５１および第２の主面５２が端面５０とそれぞれ交わる第１の交線５０１および第２の交線５０２から先端部５４に向けて延在している。この第２の変形例に係る導光板５では、裏面５ｂは、基端部５３から先端部５４に向かうにしたがって、出射面５ａに近づく方向に斜めに直線的に延伸している。
【００４５】
第２の変形例に係る導光板５は、図８Ｂに示すように、基端部５３にフラット部５５が形成されているが、ここでは、端面５０と第１の交線５０１を介して接する面のみをフラットに形成する一方、先端部５４においては、第２の主面５２の先端側の部位をフラット面５４１としている。かかる構成であっても、面状照明装置１を構成する際に、ハウジングフレーム２により導光板５の基端部５３および先端部５４が保持し易くなる。
【００４６】
なお、上述した変形例では、裏面５ｂについては平面としたが、たとえば、光の出射方向に凹状に湾曲した曲面であってもよい。
【００４７】
上述してきた実施形態によれば、以下に示す面状照明装置１が実現される。
【００４８】
（１）光を出射する光源３と、光源３からの光を入射して所定方向へ出射する導光板５と、を備え、導光板５は、光源３からの光が入射される端面５０と、当該端面５０に入射された光を出射する出射面５ａであって端面５０と交わる第１の主面５１と、出射面５ａの裏面５ｂであって端面５０と交わる第２の主面５２とを有し、第１の主面５１は、所定の曲率半径Ｒからなる凸状の曲面であり、第２の主面５２は、端面５０を有する基端部５３の方から先端部５４に向かうにしたがって第１の主面５１に漸次近づく方向に延伸する面状照明装置１。
【００４９】
かかる面状照明装置１によれば、出射面５ａが曲面であっても光を均一に出射することができる。
【００５０】
（２）上記（１）において、出射面５ａは、第１の主面５１が端面５０と交わる位置（第１の交線５０１）よりも出射方向へ膨らむ曲面である面状照明装置１。
【００５１】
かかる面状照明装置１によれば、裏面５ｂによる光の屈折を利用して、出射面５ａから光をより均一に出射することができる。
【００５２】
（３）上記（１）または（２）において、基端部５３は、第１の主面５１の側および第２の主面５２の側がいずれも平面であるフラット部５５を有し、当該フラット部５５の始端側に端面５０が形成され、フラット部５５の終端側から出射面５ａおよび裏面５ｂが延在する面状照明装置１。
【００５３】
かかる面状照明装置１によれば、導光板５を、たとえばハウジングフレーム２などでしっかりと保持することができる。
【００５４】
（４）上記（１）から（３）のいずれかにおいて、導光板５の基端部５３を挟持するとともに、光源３を収容する溝部２０を有するハウジングフレーム２を備える面状照明装置１。
【００５５】
かかる面状照明装置１によれば、光源３を収容し、かつ導光板５をしっかりと保持することができため、光学的な機能を維持しつつ装置全体をコンパクトにすることができる。
【００５６】
（５）上記（１）から（４）のいずれかにおいて、導光板５の先端部５４における第１の主面５１の側と第２の主面５２側とのうち、少なくとも一方が平面である、面状照明装置１。
【００５７】
かかる面状照明装置１によれば、導光板５を、たとえばハウジングフレーム２などで、より確実に保持することができる。
【００５８】
（６）上記（１）から（５）のいずれかにおいて、出射面５ａは、曲率半径Ｒ≧４００ｍｍの曲面である面状照明装置１。
【００５９】
かかる面状照明装置１によれば、出射面５ａが曲面であっても、出射面５ａが平面の場合の光学設計を利用することができるため、光を均一に出射することを容易に実現することができる。
【００６０】
上述してきた実施形態において、ＬＥＤ３１の周囲およびライトバー３２の入光面３２ａ付近のハウジングフレーム２には、高い反射率を有する樹脂（たとえば白色樹脂）を用いるとよい。これにより、光の効率を向上させることができる。さらに、上述の部位以外のハウジングフレーム２には、高い吸収率を有する樹脂（たとえば黒色樹脂）を用いるとよい。これにより、不要な配光を低減することができる。すなわち、ハウジングフレーム２は、白色樹脂と黒色樹脂とによる２色成形で成形するとよい。
【００６１】
なお、上記の実施形態では、光源３を、ＬＥＤ３１およびライトバー３２を用いた線状光源としていたが、線状光源の構成としては、上述してきた例には限られない。たとえば、複数のＬＥＤを一列に並べて線状光源を形成してもよい。
【００６２】
また、上記実施の形態により本発明が限定されるものではない。上述した各構成を適宜組み合わせたものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００６３】
１  面状照明装置、２  ハウジングフレーム、３  光源、５  導光板、５ａ  出射面、５ｂ  裏面、２０  溝部、５１  第１の主面、５２  第２の主面、５３  基端部、５４  先端部、５５  フラット部、Ｒ  曲率半径
【図１】
2019220287.tif 000003
【図２】
2019220287.tif 000004
【図３】
2019220287.tif 000005
【図４】
2019220287.tif 000006
【図５】
2019220287.tif 000007
【図６Ａ】
2019220287.tif 000008
【図６Ｂ】
2019220287.tif 000009
【図７】
2019220287.tif 000010
【図８Ａ】
2019220287.tif 000011
【図８Ｂ】
2019220287.tif 000012